(57)【特許請求の範囲】
【請求項１】
インスタントキースタンバイ状態からのマルチメディア再生インスタントプレイの方法において、この方法によると、コンピュータシステム中にあって、データ保存媒体、システムメモリ、基本入出力システム、少なくとも一つのインスタントキー、及び、少なくとも一つのマルチメディアオーディオビデオ再生装置が接続されており、該データ保存媒体中にオペレーションシステム、マルチメディアアプリケーションプログラム、及びマルチメディアオーディオビデオ再生装置の駆動プログラムが保存されており、この方法は、    （ａ）コンピュータ装置が基本入出力システム起動プロセスを完成するステップ、    （ｂ）コンピュータ装置のオペレーションシステムをロード及び実行するステップ、 （ｂ１）使用者がマルチメディアオーディオビデオ再生機能に関する操作をすることなく、データ保存媒体中のインスタントキーに対応するマルチメディアアプリケーションプログラムをシステムメモリ上に自動的にロードするステップ、    （ｃ）該コンピュータ装置をインスタントキースタンバイモードに進入させ、該インスタントキースタンバイモードではインスタントキーの被操作状態を検出できると規定するステップ、    （ｄ）該インスタントキーが操作されたかを検出するステップ、    （ｅ）該インスタントキーが操作された時、該コンピュータ装置をインスタントキースタンバイモードより覚醒させてマルチメディア作業モードに進入させ、該マルチメディア作業モードは該インスタントキーに対応するマルチメディアアプリケーションプログラムを実行すると規定するステップ、    （ｆ）該インスタントキーに対応するマルチメディアアプリケーションプログラムをロード及び実行するステップ、    以上のステップを包含したことを特徴とする、インスタントキースタンバイ状態からのマルチメディア再生インスタントプレイの方法。
【請求項２】
請求項１記載のインスタントキースタンバイ状態からのマルチメディア再生インスタントプレイの方法において、インスタントキーはコンピュータ装置のキースイッチに設定されることを特徴とする、インスタントキースタンバイ状態からのマルチメディア再生インスタントプレイの方法。
【請求項３】
請求項１記載のインスタントキースタンバイ状態からのマルチメディア再生インスタントプレイの方法において、インスタントキーはコンピュータ装置のキーボード上に設定された特定キーとされることを特徴とする、インスタントキースタンバイ状態からのマルチメディア再生インスタントプレイの方法。
【請求項４】
請求項１記載のインスタントキースタンバイ状態からのマルチメディア再生インスタントプレイの方法において、インスタントキーはリモコンユニットに設けられ、該リモコンユニットは発信回路によりインスタントキーの操作信号を発射し、さらにコンピュータ装置に接続された受信ユニットがそれを受信することを特徴とする、インスタントキースタンバイ状態からのマルチメディア再生インスタントプレイの方法。
【請求項５】
インスタントキースタンバイ状態からのマルチメディア再生インスタントプレイの方法において、この方法によると、コンピュータシステム中にあって、データ保存媒体、システムメモリ、基本入出力システム、少なくとも一つのインスタントキー、及び、少なくとも一つのマルチメディアオーディオビデオ再生装置が接続されており、該データ保存媒体中にオペレーションシステム、マルチメディアアプリケーションプログラム、及びマルチメディアオーディオビデオ再生装置の駆動プログラムが保存されており、この方法は、    （ａ）コンピュータ装置が基本入出力システム起動プロセスを完成するステップ、    （ｂ）コンピュータ装置のオペレーションシステムをロード及び実行するステップ、    （ｃ）該システムメモリ中にあってランダムアクセスディスクエリアを構築するステップ、    （ｄ）ハードディスク中よりマルチメディアアプリケーションプログラムを該ランダムアクセスディスクエリアにロードするステップ、    （ｅ）該コンピュータ装置をインスタントキースタンバイモードに進入させ、該インスタントキースタンバイモードではインスタントキーの被操作状態を検出できると規定するステップ、    （ｆ）該インスタントキーが操作されたかを検出するステップ、    （ｇ）該インスタントキーが操作された時、該コンピュータ装置をインスタントキースタンバイモードより覚醒させてマルチメディア作業モードに進入させ、該マルチメディア作業モードは該インスタントキーに対応するマルチメディアアプリケーションプログラムを実行すると規定するステップ、    （ｈ）該インスタントキーに対応するマルチメディアアプリケーションプログラムをロード及び実行するステップ、    以上のステップを包含したことを特徴とする、インスタントキースタンバイ状態からのマルチメディア再生インスタントプレイの方法。
【請求項６】
請求項５記載のインスタントキースタンバイ状態からのマルチメディア再生インスタントプレイの方法において、インスタントキーはコンピュータ装置のキースイッチに設定されることを特徴とする、インスタントキースタンバイ状態からのマルチメディア再生インスタントプレイの方法。
【請求項７】
請求項５記載のインスタントキースタンバイ状態からのマルチメディア再生インスタントプレイの方法において、インスタントキーはコンピュータ装置のキーボード上に設定された特定キーとされることを特徴とする、インスタントキースタンバイ状態からのマルチメディア再生インスタントプレイの方法。
【請求項８】
請求項５記載のインスタントキースタンバイ状態からのマルチメディア再生インスタントプレイの方法において、インスタントキーはリモコンユニットに設けられ、該リモコンユニットは発信回路によりインスタントキーの操作信号を発射し、さらにコンピュータ装置に接続された受信ユニットがそれを受信することを特徴とする、インスタントキースタンバイ状態からのマルチメディア再生インスタントプレイの方法。
【発明の詳細な説明】
【技術分野】
【０００１】
本発明は一種のマルチメディアオーディオビデオ再生の方法に係り、特にインスタントキースタンバイ状態からのマルチメディア再生インスタントプレイの方法に関する。
【背景技術】
【０００２】
コンピュータ技術の不断の研究開発により、現在、コンピュータシステムをコアとしてオーディオビデオ装置と結合させてマルチメディアオーディオビデオ再生システムを構成する応用は、広く、オフィス、家庭、商業場面などの応用領域に応用されている。既存のマルチメディアオーディオビデオ再生システム中、その大部分の設計は、単純にオーディオビデオ装置をコンピュータインタフェースを通してコンピュータシステムに接続したものである。ゆえに、操作者が該マルチメディアオーディオビデオ再生機能を実行したい時は、コンピュータシステムを通してオーディオビデオ装置のアプリケーションプログラムを起動しなければならない。即ち、操作者はまずコンピュータシステムを起動し、並びに該コンピュータシステムにあって基本入出力システムプログラムの起動、ＰＯＳＴ（パワーオンセルフテスト）、周辺設備検出及び駆動、オペレーションシステム起動、システムコンフィギュレーション設定などの全てのプロセスを完成した後でなければ、該マルチメディアオーディオビデオ再生機能を実行できない。
【０００３】
更に、コンピュータシステムが起動プロセスを完成した後、それぞれの接続された構成要件はいずれも駆動されて作業状態となり、ゆえに全体のコンピュータシステムが定格電力を消耗する。電力節約とコンピュータシステムの使用寿命の延長のために、現在コンピュータ装置が広く使用するウインドウス（登録商標）（例えばＷｉｎｄｏｗｓ（登録商標）ＸＰ、Ｗｉｎｄｏｗｓ（登録商標）２０００、Ｗｉｎｄｏｗｓ（登録商標）Ｍｅ）では、そのオペレーションシステム中にＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）の電源管理機能が整合され、このＡＣＰＩインタフェース標準はコンピュータシステムの関係ハードウエアの電源管理操作を制御できる。
【０００４】
このＡＣＰＩは周辺設備の電力使用状況を管理できる。ＡＣＰＩインタフェース標準が規定する電源管理機能中にはアクティブ（Ａｃｔｉｖｅ）、ハイバネーション（Ｈｉｂｅｒｎａｔｉｏｎ）、スタンバイ（Ｓｔａｎｄｂｙ）、シャットダウン（Ｓｈｕｔｄｏｗｎ）などの機能がある。使用者の設定により、コンピュータシステムはスタンバイ或いはハイバネーション状態に進入可能で、スタンバイ状態時に、コンピュータシステムは低電力消耗（Ｌｏｗ−ｐｏｗｅｒ  Ｓｔａｔｅ）とされることができ、ハイバネーション状態の時、コンピュータシステム処理は更に節電の状態とされる。
【０００５】
典型的なＡＣＰＩ構造下にあって、電源の状態は５種類の異なる電源状態に定義され、それはそれぞれ以下のようである。
Ｓ０−正常電源供給状態。
Ｓ１−第１ステップスタンバイ状態。この状態にあって、電力の、モニタ及びディスクドライブへの供給が停止するが、ＣＰＵ、メモリ及びファンへの電力は供給される。
Ｓ２−第２ステップスタンバイ状態。この状態にあって、電力の、モニタ及びディスクドライブへの供給が停止するほか、ＣＰＵとキャッシュメモリへの電力供給が停止する。
Ｓ３−第３ステップスタンバイ状態。この状態にあって、電力の、モニタ及びディスクドライブ、ＣＰＵ、キャッシュメモリへの供給が停止し、わずかにＲＡＭへの最小電力供給が維持される。
Ｓ４−ハイバネーション状態。この状態にあって、電力の全ての装置及び部品への供給が停止するが、オペレーションシステムは電源シャットダウンの前にもともと開かれていたデータ及びプログラムの実行状態を保存する。
Ｓ５−全ての電源の供給をシャットダウンする。
【０００６】
使用者の設定により、コンピュータシステムはスタンバイ或いはハイバネーション状態に進入可能で、スタンバイ状態時にコンピュータシステムは低電力消耗状態とされ、ハイバネーション状態の時はコンピュータシステム処理を節電の状態とすることができる。
【発明の開示】
【発明が解決しようとする課題】
【０００７】
上述のマルチメディアオーディオビデオ再生機能をインスタントプレイ不能な欠点を克服するため、現在すでにマルチメディアオーディオビデオ再生機能のインスタント起動及び実行できる設計があるが、そのほとんどの設計は該コンピュータ装置のハードディスク中に異なるハードディスク分割エリアを画定し、並びにこの異なるハードディスク分割エリア中に第１オペレーションシステム（例えばＬｉｎｕｘ（登録商標）ベースオペレーションシステム）及び第２オペレーションシステム（例えば現在広く使用されているＷｉｎｄｏｗｓ（登録商標）オペレーションシステム）をインストールし、並びに該コンピュータ装置の基本入出力システム（ＢＩＯＳ）に対して部分的改変を行う、というものである。ゆえに操作者ｈが必要によりコンピュータオペレーションモード或いはマルチメディア再生モードを選択実行することができる。操作者がマルチメディア再生モードを選択実行する時は、コンピュータ起動後に、コンピュータ装置は一般のコンピュータ装置の起動プロセスを実行せず、直接第１分割エリア中の第１オペレーションシステムをロード及び実行し、並びに必要なオーディオビデオ装置を駆動し、更に操作者がどの種類の再生機能（例えばＤＶＤ）を選択するかにより、オーディオビデオ再生する。即ち、操作者は一般のコンピュータのＷｉｎｄｏｗｓ（登録商標）オペレーションシステムに進入せずに、長い起動時間を節約でき、コンピュータ装置の全てのハードウエア設備を初期化する必要もない。
【０００８】
しかし、前述の従来の技術にあって、マルチメディアオーディオビデオ再生機能のインスタントプレイの機能を達成できるものの、該コンピュータ装置中に異なる分割エリアを画定して別のオペレーションシステム及び各種のマルチメディアオーディオビデオ再生アプリケーションプログラムを保存しなければならず、且つ該コンピュータ装置の基本入出力システムに対して一部変更する必要があり、このため、コンピュータ装置のハードディスクセクタが複雑化し、且つ改変済みの基本入出力システム機能は、ある特定製品上にしか使用できず、一般のコンピュータ装置には適用不能である。
【０００９】
従来の技術は、コンピュータ装置のハードディスク中に特定のデータ保存セクタを画定することによりアプリケーションプログラムの起動実行に必要なプログラム及び情報を保存する必要があり、ゆえに該コンピュータ装置のハードディスク空間を浪費し、且つ該特定区分の特定セクタは使用者がアクセスと更新することができず、また使用者のハードディスクに対する使用権を制限した。
【００１０】
更に、従来の技術の、マルチメディアオーディオビデオ再生機能のインスタントプレイ不能である欠点を克服したが、全体のコンピュータシステムに関しては、コンピュータシステムが消耗する定格電力は相当に大きく、周知の技術には、マルチメディアオーディオビデオ再生機能のインスタントプレイ可能であり且つ電力の節約を達成できる設計はない。
【００１１】
これにより、本発明の主要な目的は、一種のマルチメディア再生クイックプレイの方法を提供することにあり、それはコンピュータシステムのマルチメディア再生のクイックプレイの機能を結合し、また電力節約の機能を達成できる方法であるものとする。
【００１２】
本発明の別の目的は、一種のインスタントキースタンバイ状態からのマルチメディア再生インスタントプレイの方法を提供することにあり、それは、コンピュータ装置がシステムの起動を完成した後、該コンピュータ装置をインスタントキースタンバイモードに進入させる。このインスタントキースタンバイモードにあっては、操作者がインスタントキーを押圧操作したことを検出するだけで、マルチメディア再生の機能をインスタントプレイできる。
【００１３】
本発明が周知の技術の問題を解決するために採用する技術手段は、コンピュータ装置の電源管理メカニズム中にあって、インスタントキースタンバイモードを設け、該スタンバイモードはインスタントキーの状態を検出可能であると定義し、コンピュータ装置のモニタ、ディスクドライブ、ファンなどの装置の電源供給を停止し、わずかに最小電力をＲＡＭに供給する。コンピュータ装置が基本入出力システム起動プログラム及びオペレーションシステムの起動完成後、該コンピュータ装置はインスタントキースタンバイモードに進入すると設定されうる。該インスタントキースタンバイモードにあって、設定されたインスタントキーが操作されたことを検出する時、コンピュータ装置はインスタントキースタンバイモードより覚醒してマルチメディア作業モードに進入し、並びにマルチメディアオーディオビデオ再生装置の駆動プログラムをロード及び実行し、該マルチメディアオーディオビデオ再生装置を作動開始させ、更に該インスタントキーに対応するマルチメディアアプリケーションプログラムをロード及び実行する。
【課題を解決するための手段】
【００１４】
請求項１の発明は、インスタントキースタンバイ状態からのマルチメディア再生インスタントプレイの方法において、この方法によると、コンピュータシステム中にあって、データ保存媒体、システムメモリ、基本入出力システム、少なくとも一つのインスタントキー、及び、少なくとも一つのマルチメディアオーディオビデオ再生装置が接続されており、該データ保存媒体中にオペレーションシステム、マルチメディアアプリケーションプログラム、及びマルチメディアオーディオビデオ再生装置の駆動プログラムが保存されており、この方法は、
（ａ）コンピュータ装置が基本入出力システム起動プロセスを完成するステップ、
（ｂ）コンピュータ装置のオペレーションシステムをロード及び実行するステップ、
（ｃ）該コンピュータ装置をインスタントキースタンバイモードに進入させ、該インスタントキースタンバイモードではインスタントキーの被操作状態を検出できると規定するステップ、
（ｄ）該インスタントキーが操作されたかを検出するステップ、
（ｅ）該インスタントキーが操作された時、該コンピュータ装置をインスタントキースタンバイモードより覚醒させてマルチメディア作業モードに進入させ、該マルチメディア作業モードは該インスタントキーに対応するマルチメディアアプリケーションプログラムを実行すると規定するステップ、
（ｆ）該インスタントキーに対応するマルチメディアアプリケーションプログラムをロード及び実行するステップ、
以上のステップを包含したことを特徴とする、インスタントキースタンバイ状態からのマルチメディア再生インスタントプレイの方法としている。
請求項２の発明は、請求項１記載のインスタントキースタンバイ状態からのマルチメディア再生インスタントプレイの方法において、インスタントキーはコンピュータ装置のキースイッチに設定されることを特徴とする、インスタントキースタンバイ状態からのマルチメディア再生インスタントプレイの方法としている。
請求項３の発明は、請求項１記載のインスタントキースタンバイ状態からのマルチメディア再生インスタントプレイの方法において、インスタントキーはコンピュータ装置のキーボード上に設定された特定キーとされることを特徴とする、インスタントキースタンバイ状態からのマルチメディア再生インスタントプレイの方法としている。
請求項４の発明は、請求項１記載のインスタントキースタンバイ状態からのマルチメディア再生インスタントプレイの方法において、インスタントキーはリモコンユニットに設けられ、該リモコンユニットは発信回路によりインスタントキーの操作信号を発射し、さらにコンピュータ装置に接続された受信ユニットがそれを受信することを特徴とする、インスタントキースタンバイ状態からのマルチメディア再生インスタントプレイの方法としている。
請求項５の発明は、インスタントキースタンバイ状態からのマルチメディア再生インスタントプレイの方法において、この方法によると、コンピュータシステム中にあって、データ保存媒体、システムメモリ、基本入出力システム、少なくとも一つのインスタントキー、及び、少なくとも一つのマルチメディアオーディオビデオ再生装置が接続されており、該データ保存媒体中にオペレーションシステム、マルチメディアアプリケーションプログラム、及びマルチメディアオーディオビデオ再生装置の駆動プログラムが保存されており、この方法は、
（ａ）コンピュータ装置が基本入出力システム起動プロセスを完成するステップ、
（ｂ）コンピュータ装置のオペレーションシステムをロード及び実行するステップ、
（ｃ）該システムメモリ中にあってランダムアクセスディスクエリアを構築するステップ、
（ｄ）ハードディスク中よりマルチメディアアプリケーションプログラムを該ランダムアクセスディスクエリアにロードするステップ、
（ｅ）該コンピュータ装置をインスタントキースタンバイモードに進入させ、該インスタントキースタンバイモードではインスタントキーの被操作状態を検出できると規定するステップ、
（ｆ）該インスタントキーが操作されたかを検出するステップ、
（ｇ）該インスタントキーが操作された時、該コンピュータ装置をインスタントキースタンバイモードより覚醒させてマルチメディア作業モードに進入させ、該マルチメディア作業モードは該インスタントキーに対応するマルチメディアアプリケーションプログラムを実行すると規定するステップ、
（ｈ）該インスタントキーに対応するマルチメディアアプリケーションプログラムをロード及び実行するステップ、
以上のステップを包含したことを特徴とする、インスタントキースタンバイ状態からのマルチメディア再生インスタントプレイの方法としている。
請求項６の発明は、請求項５記載のインスタントキースタンバイ状態からのマルチメディア再生インスタントプレイの方法において、インスタントキーはコンピュータ装置のキースイッチに設定されることを特徴とする、インスタントキースタンバイ状態からのマルチメディア再生インスタントプレイの方法としている。
請求項７の発明は、請求項５記載のインスタントキースタンバイ状態からのマルチメディア再生インスタントプレイの方法において、インスタントキーはコンピュータ装置のキーボード上に設定された特定キーとされることを特徴とする、インスタントキースタンバイ状態からのマルチメディア再生インスタントプレイの方法としている。
請求項８の発明は、請求項５記載のインスタントキースタンバイ状態からのマルチメディア再生インスタントプレイの方法において、インスタントキーはリモコンユニットに設けられ、該リモコンユニットは発信回路によりインスタントキーの操作信号を発射し、さらにコンピュータ装置に接続された受信ユニットがそれを受信することを特徴とする、インスタントキースタンバイ状態からのマルチメディア再生インスタントプレイの方法としている。
【発明の効果】
【００１５】
コンピュータ装置中にあって、システムが構築するスタンバイモードのほか、別に特有のスタンバイモードを設立し、このスタンバイモード中でわずかにマルチメディア再生のキー或いは特定キーを検出する。使用者がマルチメディア再生のインスタントキーを押圧操作する時、検出後にマルチメディア再生プログラムがインスタントプレイが実行される。これまでの技術と比較すると、本発明は操作者が設定されたキーを押圧する簡単な操作により、マルチメディア再生機能をインスタントプレイ可能であり、操作者は長い時間を起動時間に費やすことがなく、また電力節約の効果も達成できる。
【００１６】
本発明の採用する具体的方法及び制御フローは、以下の実施例及び添付の図面により更に説明する。
【発明を実施するための最良の形態】
【００１７】
図１は本発明の第１実施例のシステム機能ブロック図である。本発明のコンピュータ装置１００は、ＣＰＵ１１、第１バスブリッジ１２、第２バスブリッジ１３を包含し、そのうち、該ＣＰＵ１１はシステムバスを介して第１バスブリッジ１２に接続され、第１バスブリッジ１２にシステムメモリ１４が接続され、並びにディスプレイインタフェース１５０を介してディスプレイ１５が接続されている。
【００１８】
第２バスブリッジ１３にバスを介してハードディスクインタフェース１７０が接続され、更にハードディスクインタフェース１７０によりハードディスク１７が接続されている。該ハードディスク１７は本発明のデータ保存媒体とされる。該ハードディスク１７中にオペレーションシステム１７１、該オペレーションシステム１７１環境下で操作可能なマルチメディアアプリケーションプログラム１７２、及びマルチメディアオーディオビデオ再生装置の駆動プログラム１７３がインストールされている。
【００１９】
該第２バスブリッジ１３はオーディオビデオインタフェース１８０を介してオーディオビデオ再生装置１８に接続されている。該オーディオビデオ再生装置１８は例えば、ＤＶＤ、ＭＰ３、ＣＤ、ＴＶなどの再生装置とされる。該第２バスブリッジ１３はまた適合する周辺装置インタフェースを介してその他の各種の周辺設備に接続されうる。
【００２０】
該第２バスブリッジ１３はインスタントキー検出インタフェース１９０を介して少なくとも一つのインスタントキー１９に接続されている。該インスタントキー１９は該オーディオビデオ再生装置１８の動作をインスタント起動するコントロールキーとされる。該インスタントキー１９はオーディオビデオ再生装置のパネル或いはコンピュータのキースイッチに割り当てられうるほか、該コンピュータ装置のキーボード上に設けられた特定キーとされ得て、該特定キーはキーボードコントローラーのデコードの後、ＣＰＵ１１により認識される。
【００２１】
該第２バスブリッジ１３は、適宜バスインタフェースで電源管理メカニズムユニット２（Ｐｏｗｅｒ  Ｍａｎａｇｅｍｅｎｔ  Ｍｅｃｈａｎｉｓｍ）に接続され、それは、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）、或いはＡＰＭ（Ａｄｖａｎｃｅｄ  Ｐｏｗｅｒ  Ｍａｎａｇｅｍｅｎｔ）の電源管理機能とされうる。該電源管理メカニズムユニット２はオペレーションシステムにより管理されるか、或いは基本入出力システムプログラムにより管理される。
【００２２】
本発明は電源管理メカニズムユニット２の提供する電源管理機能のほか、本発明の要求に符合するインスタントキースタンバイモードを規定し、これによりコンピュータ装置に電力節約と電源管理の機能のほかに、更にインスタントキーの状況の検出及びマルチメディア再生実行の機能を具備する。
【００２３】
本発明の規定するインスタントキースタンバイモードでは、コンピュータ装置１００中のマルチメディア再生機能に無関係の装置及び部品への電力供給を停止し、該インスタントキー検出インタフェース１９０及びインスタントキー１９を作業状態とし、該インスタントキースタンバイモード中では、また最小電力のＲＡＭ１４への供給を維持するものとされうる。
【００２４】
図２は本発明の第２実施例のシステム機能ブロック図である。この実施例では、そのほとんどの構成要件は図１の電気回路のものと同じであり、その差異は、該インスタントキー検出インタフェース１９０に受信ユニット１９１が接続され、該受信ユニット１９１が発信ユニット１９２の発信した無線信号を受信し、インスタントキー１９は発信ユニット１９２に設けられていることである。ゆえに操作者がインスタントキー１９を押圧操作する時、発信ユニット１９２より無線信号が発射され、並びに該受信ユニット１９１により受信され、さらに、インスタントキー検出インタフェース１９０を通して受信された信号が第２バスブリッジ１３、第１バスブリッジ１２を経由してＣＰＵ１１に送られる。
【００２５】
図３は本発明の第１実施例の制御フローチャートである。図１に示されるシステム機能ブロック図と合わせて以下に本発明の制御フローについて詳細に説明する。
コンピュータ装置１００が起動される時（ステップ１０１）、コンピュータ装置１００はまずシステム基本起動プロセスを実行する（ステップ１０２）。このとき、コンピュータ装置１００は基本入出力システムメモリ１６中より基本入出力システムプログラム１６１及びＰＯＳＴ（パワーオンセルフテスト）プログラム１６２をロードする（ステップ１０３）。その後、該基本入出力システムプログラムが該コンピュータ装置１００に接続されているディスプレイ１５、ハードディスク１７、オーディオビデオ再生装置１８、インスタントキー１９などの装置を検出する。
【００２６】
上述の起動ステップの後、基本入出力システムプログラム１６１はハードディスク中よりオペレーションシステム１７１をロード及び実行する（ステップ１０４）。こうして、該コンピュータ装置１００は全体の起動のプロセスを完成する。
【００２７】
該コンピュータ装置１００が上述の起動プロセスを完成する所定時間の後、或いは使用者の設定により、コンピュータ装置１００は電源管理メカニズムユニット２の制御の下で、本発明の規定するインスタントキースタンバイモードに進入する（ステップ１０５）。このインスタントキースタンバイモードにあって、コンピュータ装置はコンピュータ装置１００の大部分の装置及び部品への電力供給を停止し、わずかにインスタントキー検出インタフェース１９０及びインスタントキー１９を作業状態とする。
【００２８】
コンピュータ装置がインスタントキースタンバイモードに進入した後、一旦インスタントキー１９が押圧操作されたことを検出すると、電源管理メカニズムユニット２の制御のしたで、該コンピュータ装置はインスタントキースタンバイモードから覚醒してマルチメディア作業モードに進入する（ステップ１０７）。このマルチメディア作業モード下で、ディスプレイ１５、ハードディスク１７、オーディオビデオ再生装置１８は作動開始させられ（ステップ１０８）、並びにハードディスク１７中にマルチメディアアプリケーションプログラム１７２をロードし実行する（ステップ１０９）。こうしてマルチメディアオーディオビデオ装置の再生機能のインスタントプレイが達成される（ステップ１１０）。
【００２９】
図４は本発明の第２実施例の制御フローチャートである。この実施例のフロー中、コンピュータ装置１００が起動される時（ステップ２０１）、コンピュータ装置１００はまずシステム基本起動プロセスを実行する。このとき、コンピュータ装置１００は基本入出力システムメモリ１６中より基本入出力システムプログラム１６１及びＰＯＳＴ（パワーオンセルフテスト）プログラム１６２をロード及び実行する（ステップ２０２）及び（ステップ２０３）。その後、該基本入出力システムプログラムはコンピュータ装置１００に接続されたディスプレイ１５、ハードディスク１７、オーディオビデオ再生装置１８、インスタントキー１９などの装置を検出する。
【００３０】
上述の起動ステップを完成した後、基本入出力システムプログラム１６１はハードディスク中よりオペレーションシステム１７１をロード及び実行する（ステップ２０４）。こうして該コンピュータ装置が全体の起動のプロセスを完成する。
【００３１】
上述の起動ステップの後、システムメモリ１４中にランダムアクセスディスクエリア１４１が構築され（ステップ２０５）、さらにハードディスク１７中よりマルチメディアアプリケーションプログラム１７２がランダムアクセスディスクエリアにロードされる（ステップ２０６）。
【００３２】
コンピュータ装置１００が上述の起動プロセスを完成して所定の時間の後、或いは使用者の設定により、コンピュータ装置１００は電源管理メカニズムユニット２の制御の下で、本発明の規定するインスタントキースタンバイモードに進入する（ステップ２０７）。このインスタントキースタンバイモードにあって、コンピュータ装置はコンピュータ装置１００の大部分の装置及び部品への電力供給を停止し、わずかにインスタントキー検出インタフェース１９０及びインスタントキー１９を作業状態とする。
【００３３】
コンピュータ装置がインスタントキースタンバイモードに進入した後、一旦インスタントキー１９が押圧操作されたことを検出すると（ステップ２０８）、該インスタントキー１９の状態は即刻インスタントキー検出インタフェース１９０、第２バスブリッジ１３、第１バスブリッジ１２を経由してＣＰＵ１１に送られる。
【００３４】
ＣＰＵ１１が該インスタントキーが押圧操作されたことを検出する時、電源管理メカニズムユニット２の制御の下で、該コンピュータ装置はインスタントキースタンバイモードから覚醒してマルチメディア作業モードに進入する（ステップ２０９）。このマルチメディア作業モードにあって、ディスプレイ１５、ハードディスク１７、オーディオビデオ再生装置１８は作動開始させられ（ステップ２１０）、並びにシステムメモリ１４のランダムアクセスディスクエリア１４１中よりマルチメディアアプリケーションプログラム１７２がロード及び実行される（ステップ２１１）。こうしてマルチメディアオーディオビデオ装置の再生機能のインスタントプレイが達成される（ステップ２１２）。
【００３５】
以上の実施例の説明は、本発明の好ましい実施例の説明に過ぎず、上述の実施例の説明に基づきなしうる数々の改良及び変化は、いずれも本発明の請求範囲に属するものとする。
【図面の簡単な説明】
【００３６】
【図１】本発明の第１実施例のシステム機能ブロック図である。
【図２】本発明の第２実施例のシステム機能ブロック図である。
【図３】本発明の第１実施例の制御フローチャートである。
【図４】本発明の第２実施例の制御フローチャートである。
【符号の説明】
【００３７】
１００  コンピュータ装置
１１  ＣＰＵ
１２  第１バスブリッジ
１３  第２バスブリッジ
１３０  バス
１４  システムメモリ
１４１  ランダムアクセスディスクエリア
１５  ディスプレイ
１５０  ディスプレイインタフェース
１６  基本入出力システムメモリ
１６１  基本入出力システムプログラム
１６２  ＰＯＳＴ（パワーオンセルフテスト）プログラム
１７  ハードディスク
１７０  ハードディスクインタフェース
１７１  オペレーションシステム
１７２  マルチメディアアプリケーションプログラム
１７３  マルチメディア駆動プログラム
１８  オーディオビデオ再生装置
１８０  オーディオビデオインタフェース
１９  インスタントキー
１９０  インスタントキー検出インタフェース
１９１  受信ユニット
１９２  発信ユニット
２  電源管理メカニズムユニット
【図１】
0004404843.tif 000002
【図２】
0004404843.tif 000003
【図３】
0004404843.tif 000004
【図４】
0004404843.tif 000005